(57)【要約】【課題】受信性能への影響を回避しつつ、目的とする受信信号のロスを低減することができる無線端末装置及び制御方法を提供すること。【解決手段】第１の送信処理部３２と、第１の受信処理部３３を有する第１の無線部３０と、第２の受信処理部４２を有する第２の無線部４０と、第２の受信処理部４２により所定の周波数帯の信号を受信しているときに、第１の受信処理部３３により呼出情報を受信した場合、第１の送信処理部３２が使用する周波数帯と第２の受信処理部４２が使用している所定の周波数帯を比較し、予め定められた範囲に入る場合には、第１の受信処理部３３が使用可能な他の周波数帯を検索し、第１の受信処理部３３により使用される周波数帯を他の周波数帯に切り替えるように制御する制御部５０を備える。第１の送信処理部３２は、当該他の周波数帯の信号により、第１の受信処理部３３により受信された呼出情報に対する応答情報を返信する。【選択図】図２
2011250197.tif 000002
【特許請求の範囲】
【請求項１】
複数の周波数帯に対応し、信号を送信する第１の送信部と、信号を受信する第１の受信部を有する第１の無線部と、
所定の周波数帯の信号を受信する第２の受信部を有する第２の無線部と、
前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較し、予め定められた範囲に入る場合には、前記複数の周波数帯の中から前記第１の受信部が使用可能な他の周波数帯を検索し、他の周波数帯が検索できた場合には、前記第１の受信部により使用される周波数帯を前記他の周波数帯に切り替えるように制御する制御部を備え、
前記第１の送信部は、前記制御部により切り替えられた前記他の周波数帯の信号により、前記第１の受信部により受信された前記呼出情報に対する応答情報を返信する無線端末装置。
【請求項２】
前記第１の受信部により定期的に取得する近隣基地局情報を格納する格納部を備え、
前記制御部は、前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較し、予め定められた範囲に入る場合には、前記近隣基地局情報に基づいて、前記複数の周波数帯の中から、前記第２の受信部が使用している周波数帯から最も離れた周波数帯を前記他の周波数帯として検索する請求項１に記載の無線端末装置。
【請求項３】
前記制御部は、所定時間内に前記他の周波数帯の検索を行えなかった場合には、前記呼出情報を受信したときと同じ周波数帯の信号により、当該呼出情報に対する応答情報を返信し、着信応答処理を実行する請求項１記載の無線端末装置。
【請求項４】
前記制御部は、前記第２の受信部により前記所定の周波数帯の信号を受信している最中は、前記第１の無線部によるハンドオフの処理を抑制する請求項１記載の無線端末装置。
【請求項５】
前記制御部は、前記複数の周波数帯の中から前記第１の受信部が使用可能な他の周波数帯を検索し、他の周波数帯が検索できた場合には、当該他の周波数帯での位置登録を試行し、当該試行が成功した場合には当該他の周波数帯で前記応答情報を返信し、当該試行が失敗した場合には当該他の周波数帯での前記応答情報を返信しない請求項１から４のいずれか一項に記載の無線端末装置。
【請求項６】
前記制御部は、前記複数の周波数帯の中から前記第１の受信部が使用可能な他の周波数帯を検索し、他の周波数帯が検索できた場合には、当該他の周波数帯での位置登録を試行し、当該試行が成功した場合には当該他の周波数帯で前記応答情報を返信するとともに、当該他の周波数帯を記憶しておき、
次回、前記他の周波数帯の検索を行う場合には、前記記憶しておいた他の周波数帯を優先して検索を行う請求項１から４のいずれか一項に記載の無線端末装置。
【請求項７】
複数の周波数帯に対応し、信号を送信する第１の送信部と、信号を受信する第１の受信部を有する第１の無線部と、所定の周波数帯の信号を受信する第２の受信部を有する第２の無線部を備える無線端末装置の制御方法であって、
前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較する比較工程と、
前記比較工程により比較した結果、前記第１の送信部が使用する周波数帯が前記第２の受信部が使用している前記所定の周波数帯に対して、予め定められた範囲に入る場合には、前記複数の周波数帯の中から前記第１の受信部が使用可能な他の周波数帯を検索する検索工程と、
前記検索工程により他の周波数帯が検索できた場合には、前記第１の受信部により使用される周波数帯を前記他の周波数帯に切り替える切替工程を備える制御方法。
【発明の詳細な説明】
【技術分野】
【０００１】
本発明は、複数の無線部を有する無線端末装置及びその制御方法に関する。
【背景技術】
【０００２】
携帯通信端末には、外部機器と通信を行う無線部が複数含まれて構成されているものがある。各無線部は、それぞれ異なる通信規格に準じて外部機器と通信を行うことができ、使用する周波数帯も異なっている。また、各無線部は、外部機器との間で信号を送受信する通信システムを構成する。
【０００３】
ところで、一の通信システムによって信号を受信中に、他の通信システムによって信号を送信するような場合や、他の通信システムによって信号を送信中に、一の通信システムによって信号を受信するような場合がある。
【先行技術文献】
【特許文献】
【０００４】
【特許文献１】特開２００３−２４４０１５号公報
【発明の概要】
【発明が解決しようとする課題】
【０００５】
このような場合、携帯通信端末は、一の通信システムのアンテナと他の通信システムのアンテナとの位置関係によって、他の通信システムのアンテナから出力された信号が一の通信システムのアンテナに回り込んで受信される場合がある。
【０００６】
そうすると、一の通信システムが信号の受信を行う際に、他の通信システムから送信された信号が回り込んで受信されてしまい、一の通信システムによる信号の受信性能に影響を与える可能性がある。
【０００７】
ここで、受信性能への影響を回避する手段（アイソレーションの手段）として、特許文献１に記載されている技術の他に、一の通信システムの信号を受信するアンテナの後段部分に、受信した信号の中から他の通信システムによって出力された信号を除去するためのフィルタを追加することが考えられる。
【０００８】
しかし、単にフィルタを追加しただけの構成であると、受信信号に含まれている目的としない信号を除去する一方で目的とする信号も低減されてしまい、ロスが発生する。
【０００９】
本発明では、受信性能への影響を回避しつつ、目的とする受信信号のロスを低減することができる無線端末装置及び制御方法を提供することを一つの目的とする。
【課題を解決するための手段】
【００１０】
本発明に係る無線端末装置は、上記課題を解決するために、複数の周波数帯に対応し、信号を送信する第１の送信部と、信号を受信する第１の受信部を有する第１の無線部と、所定の周波数帯の信号を受信する第２の受信部を有する第２の無線部と、前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較し、予め定められた範囲に入る場合には、前記複数の周波数帯の中から前記第１の受信部が使用可能な他の周波数帯を検索し、他の周波数帯が検索できた場合には、前記第１の受信部により使用される周波数帯を前記他の周波数帯に切り替えるように制御する制御部を備え、前記第１の送信部は、前記制御部により切り替えられた前記他の周波数帯の信号により、前記第１の受信部により受信された前記呼出情報に対する応答情報を返信する構成である。
【００１１】
また、無線端末装置では、前記第１の受信部により定期的に取得する近隣基地局情報を格納する格納部を備え、前記制御部は、前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較し、予め定められた範囲に入る場合には、前記近隣基地局情報に基づいて、前記複数の周波数帯の中から、前記第２の受信部が使用している周波数帯から最も離れた周波数帯を前記他の周波数帯として検索する構成が好ましい。
【００１２】
また、無線端末装置では、前記制御部は、所定時間内に前記他の周波数帯の検索を行えなかった場合には、前記呼出情報を受信したときと同じ周波数帯の信号により、当該呼出情報に対する応答情報を返信し、着信応答処理を実行する構成が好ましい。
【００１３】
また、無線端末装置では、前記制御部は、前記第２の受信部により前記所定の周波数帯の信号を受信している最中は、前記第１の無線部によるハンドオフの処理を抑制する構成が好ましい。
【００１４】
また、無線端末装置では、前記制御部は、前記複数の周波数帯の中から前記第１の受信部が使用可能な他の周波数帯を検索し、他の周波数帯が検索できた場合には、当該他の周波数帯での位置登録を試行し、当該試行が成功した場合には当該他の周波数帯で前記応答情報を返信し、当該試行が失敗した場合には当該他の周波数帯での前記応答情報を返信しない構成が好ましい。
【００１５】
また、無線端末装置では、前記制御部は、前記複数の周波数帯の中から前記第１の受信部が使用可能な他の周波数帯を検索し、他の周波数帯が検索できた場合には、当該他の周波数帯での位置登録を試行し、当該試行が成功した場合には当該他の周波数帯で前記応答情報を返信するとともに、当該他の周波数帯を記憶しておき、次回、前記他の周波数帯の検索を行う場合には、前記記憶しておいた他の周波数帯を優先して検索を行う構成が好ましい。
【００１６】
また、本発明に係る制御方法は、上記課題を解決するために、複数の周波数帯に対応し、信号を送信する第１の送信部と、信号を受信する第１の受信部を有する第１の無線部と、所定の周波数帯の信号を受信する第２の受信部を有する第２の無線部を備える無線端末装置の制御方法であって、前記第２の受信部により前記所定の周波数帯の信号を受信しているときに、前記第１の受信部により呼出情報を受信した場合、前記第１の送信部が使用する周波数帯と前記第２の受信部が使用している前記所定の周波数帯を比較する比較工程と、前記比較工程により比較した結果、前記第１の送信部が使用する周波数帯が前記第２の受信部が使用している前記所定の周波数帯に対して、予め定められた範囲に入る場合には、前記複数の周波数帯の中から前記第１の受信部が使用可能な他の周波数帯を検索する検索工程と、前記検索工程により他の周波数帯が検索できた場合には、前記第１の受信部により使用される周波数帯を前記他の周波数帯に切り替える切替工程を備える。
【発明の効果】
【００１７】
本発明によれば、受信性能への影響を回避しつつ、目的とする受信信号のロスを低減することができる。
【図面の簡単な説明】
【００１８】
【図１】携帯電話装置を開いた状態を示す外観斜視図である。
【図２】本発明に係る携帯電話装置の機能を示す機能ブロック図である。
【図３】第１の周波数帯及び第２の周波数帯の関係を示す図である。
【図４】別のシステム（ＢＣ）をスキャンする際のイメージを示す図である。
【図５】フィルタ部を有効状態にした場合と無効状態にした場合における周波数特性を示す図である。
【図６】ＬＴＥシステムが起動中（位置登録中）にＣＤＭＡシステムを起動した場合の制御部の動作についての説明に供するフローチャートである。
【図７】ＬＴＥシステムが起動中（通信中）にＣＤＭＡシステムが着信を行った場合の制御部の動作についての説明に供するフローチャートである。
【図８】スキャンの優先順位を決定する条件についての一例を模式的に示す図である。
【図９】スキャンテーブルの作成方法についての説明に供する図である。
【図１０】別のシステムをスキャンして、その結果から元のシステム又は別のシステムに切り替える方法についての説明に供する図である。
【発明を実施するための形態】
【００１９】
以下、本発明の実施の形態について説明する。図１は、本発明に係る無線端末装置の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２０】
携帯電話装置１は、図１に示すように、操作部側筐体部２と、表示部側筐体部３とを備えて構成される。操作部側筐体部２は、表面部１０に、操作ボタン群１１と、携帯電話装置１の使用者が通話時に発した音声が入力される音声入力部１２とを備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とを有する。
【００２１】
また、表示部側筐体部３は、表面部２０に、各種情報を表示するためのディスプレイ２１と、通話の相手側の音声を出力する音声出力部２２と、音楽等を出力するスピーカ２３を備えて構成されている。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）と、操作部側筐体部２と表示部側筐体部３とを折り畳んだ状態（折畳み状態）との間を相対移動可能に構成される。
【００２３】
このように構成される携帯電話装置１は、外部機器と通信を行う無線部が複数含まれて構成されており、一の通信システムにより信号が送信されたときに、他の通信システムで信号を受信する際の受信性能への影響を回避しつつ、希望信号のロス（減衰量）を低減することができる機能を有している。以下に、当該機能を実現するための構成と動作について説明する。
【００２４】
携帯電話装置１は、図２に示すように、第１の無線部３０と、第２の無線部４０と、制御部５０を備える。また、携帯電話装置１は、他に、音声入力部１２と、ディスプレイ２１と、音声出力部２２と、スピーカ２３と、操作ボタン群１１と、メモリ６０等を有する。
【００２５】
また、第１の無線部３０は、アンテナ３１と、複数の周波数帯に対応し、信号を送信する第１の送信処理部３２（第１の送信部）と、信号を受信する第１の受信処理部３３（第１の受信部）を有する。なお、本実施例では、第１の無線部３０は、複数の周波数帯として、８００ＭＨｚと２ＧＨｚを中心周波数とする周波数帯の信号を送信する機能（いわゆる、ＣＤＭＡ（Ｃｏｄｅ  Ｄｉｖｉｓｉｏｎ  Ｍｕｌｔｉｐｌｅ  Ａｃｃｅｓｓ）方式を採用したメール通信・通話機能）を有するものとして説明する。
【００２６】
また、以下では、適宜、８００ＭＨｚを中心周波数とする周波数帯を第１の周波数帯といい、２ＧＨｚを中心周波数とする周波数帯を第２の周波数帯という（図３を参照）。また、本実施例では、第１の無線部３０は、複数の周波数帯として、第１の周波数帯と第２の周波数帯に対応しているものとして説明するが、これに限られず、３つ以上の周波数帯に対応していても良い。
【００２７】
また、第１の無線部３０の第１の送信処理部３２は、基地局（外部機器）との間で通信を行い、通話等を行う周波数帯を決定する。第１の送信処理部３２は、決定した周波数帯（第１の周波数帯又は第２の周波数帯）で通信・通話の位置登録を行う。また、第１の送信処理部３２は、データを送信する際には、送信するデータを第１の周波数帯又は第２の周波数帯の周波数を搬送波として信号を生成し、アンテナ３１を介して基地局に送信する。
【００２８】
なお、第１の無線部３０は、ＣＤＭＡ方式を採用した通信を行う機能のみならず、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。
【００２９】
第２の無線部４０は、アンテナ４１と、所定の周波数帯の信号を受信する第２の受信処理部４２（第２の受信部）を有する。なお、本実施例では、第２の無線部４０は、所定の周波数帯として、第３の周波数帯に対応しているものとする。なお、本実施例では、第２の無線部４０は、所定の周波数帯として４７０ＭＨｚから７７０ＭＨｚの周波数帯の受信を行う機能（いわゆる、地上波デジタル放送の受信機能）を有するものとする。また、以下では、適宜、４７０ＭＨｚから７７０ＭＨｚの周波数帯を第３の周波数帯という（図３を参照。）。
【００３０】
また、第２の無線部４０は、地上波デジタル放送を受信する機能のみならず、第１の無線部３０とは異なる機能であって、例えば、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。また、第２の無線部４０は、第１の無線部３０と同様に、複数の周波数帯に対応可能に構成されており、当該周波数帯において送受信可能に構成されていても良い。
【００３１】
ここで、第２の無線部４０の詳細な構成と動作について説明する。
第２の無線部４０は、ユーザによる所定の操作に応じて、テレビ視聴用のアプリケーションが起動され、所定のチャンネルが指定されたときに、チャンネルと周波数の対応テーブルを参照し、４７０ＭＨｚから７７０ＭＨｚまでの周波数帯（第３の周波数帯）の中から、指定されたチャンネルに対応する周波数にチューニングを行う機能を有している。そして、第２の受信処理部４２は、チューニングにより受信した信号に対して、復調処理や復号処理等の所定の信号処理を行い、処理後の信号を再生処理し、テレビ視聴用のアプリケーションを利用して再生を行う。
【００３２】
ここで、アンテナ４１は、ＣＤＭＡ方式の送信周波数帯のアンテナ利得が低いほど、回り込みの影響は小さくなる。しかし、アンテナ４１は、第３の周波数帯（４７０ＭＨｚから７７０ＭＨｚ）のアンテナ利得を確保しなければならず、アンテナ利得を低くすることが困難である。
【００３３】
一方で、ＣＤＭＡ方式の送信周波数帯において必要となるアンテナ利得は、第３の周波数帯と同一か数ｄＢ低下する程度である。そうすると、アンテナ４１は、第３の周波数帯の信号を受信しているときに、アンテナ３１によりＣＤＭＡ方式による送信が行われた場合、ほとんどロスすることなくアンテナ３１から送信される信号を受信してしまう。
【００３４】
したがって、アンテナ４１により受信した信号を処理する第２の受信処理部４２は、前段部に設けられているＬＮＡ（Ｌｏｗ  Ｎｏｉｓｅ  Ａｍｐｌｉｆｉｅｒ）が入力飽和状態になり、歪みが発生し、受信性能が劣化してしまう。これは、第３の周波数帯において、どの周波数でも生じる現象である。
【００３５】
実験において、−３０ｄＢｍのＣＤＭＡ送信波が入力された場合、第２の無線部４０による地上波デジタル放送の受信性能が劣化した。これは、アンテナ３１とアンテナ４１のアンテナ間アイソレーションが１０ｄＢであったため、ＣＤＭＡ送信波は、−２０ｄＢｍで送信されていたことになる。また、この結果は、アンテナ間アイソレーション量や、第２の無線部４０のＬＮＡの歪特性によっても変動する。
【００３６】
また、ＣＤＭＡ方式の信号は、最大で、＋２３ｄＢｍから＋２４ｄＢｍで送信されることが一般的である。よって、第２の受信処理部４２は、ＣＤＭＡ方式の信号を除去するためのフィルタ部を必要とする。
【００３７】
また、第２の受信処理部４２は、具体的には、アンテナ４１から入力された信号をＲＦ処理部４２ａで受信し、ＯＦＤＭ部４２ｂによって復調し、分離部４２ｃにより映像と音声を分離し、分離後の信号を制御部５０に出力する。制御部５０は、同期をとって、映像信号をディスプレイ２１に出力し、音声信号をスピーカ２３に出力する。第２の受信処理部４２は、信号の受信中においてこの再生処理の動作を常時行っている。
【００３８】
制御部５０は、第２の受信処理部４２により所定の周波数帯の信号を受信しているときに、第１の受信処理部３３により呼出情報を受信した場合、第１の送信処理部３２が使用する周波数帯と第２の受信処理部４２が使用している所定の周波数帯を比較し、予め定められた範囲に入る場合には、複数の周波数帯の中から第１の受信処理部３３が使用可能な他の周波数帯を検索し、他の周波数帯が検索できた場合には、第１の受信処理部３３により使用される周波数帯を他の周波数帯に切り替えるように制御する。
【００３９】
このような構成において、第１の送信処理部３２は、制御部５０により切り替えられた他の周波数帯の信号により、第１の受信処理部３３により受信された呼出情報に対する応答情報を返信する。
【００４０】
したがって、携帯電話装置１は、第２の無線部４０を利用している場合（例えば、地上波デジタル放送波の視聴中）に、位置登録が可能な状態であった第１の無線部３０が呼出情報（例えば、電話の着信情報）を受信した場合であって、第２の無線部４０で使用している周波数帯と第１の無線部３０で使用する周波数帯とを比較し、予め定められた範囲に入る場合、すなわち、両周波数帯域が近接している場合には、第１の無線部３０で使用している周波数帯域を他の周波数帯域に切り替えるので、第２の無線部４０への受信性能への影響を回避しつつ、第１の無線部３０により好適に通信を行うことができる。
【００４１】
また、携帯電話装置１が備えるメモリ６０（格納部）は、第１の受信処理部３３により定期的に取得する近隣基地局情報（ネイバーリスト）を格納している。
制御部５０は、第２の受信処理部４２により所定の周波数帯の信号を受信しているときに、第１の受信処理部３３により呼出情報を受信した場合、第１の送信処理部３２が使用する周波数帯と第２の受信処理部４２が使用している所定の周波数帯を比較し、予め定められた範囲に入る場合には、近隣基地局情報に基づいて、複数の周波数帯の中から、第２の受信処理部４２が使用している周波数帯から最も離れた周波数帯を他の周波数帯として検索する。
【００４２】
ここで、ネイバーリストには、基地局を識別するＰＮと、周波数帯のクラス（バンドクラス、ＢＣ）を識別する情報と、バンドクラス内の周波数帯（チャネル）を識別するＣＨ等の情報が含まれている。携帯電話装置１は、取得したネイバーリストに基づいて、隣接する基地局が対応するバンドクラスを把握することができ、このバンドクラスによって第１の無線部３０によって通信可能な周波数帯を特定することができる。このため、例えば、ネイバーリストによって基地局が８００ＭＨｚと、２ＧＨｚのバンドクラスに対応することが分かっていれば、２ＧＨｚに切り替える際に、基地局に対してその都度、対応可能なバンドクラスを問い合わせる処理が不要となり、素早く周波数帯域を切り替えることができる。
【００４３】
したがって、携帯電話装置１は、第２の無線部４０を利用している場合（例えば、地上波デジタル放送波の視聴中）に、位置登録が可能な状態であった第１の無線部３０が呼出情報（例えば、電話の着信情報）を受信した場合であって、第２の無線部４０で使用している周波数帯と第１の無線部３０で使用する周波数帯とを比較し、予め定められた範囲に入る場合、すなわち、両周波数帯域が近接している場合には、ネイバーリストに基づいて、第１の無線部３０で使用している周波数帯域を他の周波数帯域に切り替えるので、第２の無線部４０への受信性能への影響を回避しつつ、第１の無線部３０により好適に通信を行うことができる。
【００４４】
また、制御部５０は、所定時間内に他の周波数帯の検索を行えなかった場合には、呼出情報を受信したときと同じ周波数帯の信号により、当該呼出情報に対する応答情報を返信し、着信応答処理を実行する構成であることが好ましい。
ここで、所定時間とは、例えば、携帯電話装置１が基地局に対して定期的に着信等の確認を行う周期Ｔ（例えば、５．１２秒）を基準として、２Ｔや３Ｔ等が該当する。
【００４５】
したがって、携帯電話装置１は、他の周波数帯の検索によって、検索に時間がかかったとしても、所定時間内に検索が行えなかった場合に、元の周波数帯の信号により応答情報を返信するので、着信に失敗することがない。
【００４６】
なお、携帯電話装置１では、着信等の確認処理によって基地局から送信されてきた呼出情報に応答する応答情報を基地局に返信したときに始めて、着信報知動作（例えば、着信メロディーの再生動作）が実行されることになる。その後、携帯電話装置１は、ユーザが着信報知動作により着信の発生を知り、ユーザにより応答操作が行われると、通話状態に移行する。
【００４７】
また、制御部５０は、第２の受信処理部４２により所定の周波数帯の信号を受信している最中は、第１の無線部３０によるハンドオフの処理を抑制することが好ましい。
ここで、携帯電話装置１は、ハンドオフの条件（電界強度やエラー訂正率等で示される通信品質が所定の閾値まで低下した場合）を満たした場合には、ハンドオフを行うことによって通信品質を担保している。
【００４８】
例えば、携帯電話装置１は、第１の送信処理部３２で使用する周波数帯を、第２の受信処理部４２に影響を与えない周波数帯に切り替えた後に、ハンドオフの条件を満たした場合には、通常通りにハンドオフを行ってしまう。そうすると、第１の送信処理部３２の周波数帯が元の周波数帯に戻ってしまった場合、第２の受信処理部４２に影響を与えてしまう可能性がある。
【００４９】
そこで、制御部５０は、第２の受信処理部４２により所定の周波数帯の信号を受信している最中は、第１の無線部３０によるハンドオフの処理を抑制することにより、第２の受信処理部４２に対して第１の無線部３０による影響を与えないようにする。これは、ハンドオフの処理を行わないことを意味しているのではなく、ハンドオフをするタイミングを遅らせることを意味している。
【００５０】
ハンドオフの処理は、通信品質を担保させるために余裕を持って実行されるものである。制御部５０は、通常設定されているハンドオフの条件を緩めることによって、第２の受信処理部４２による通信状態を良好に維持することができる。
【００５１】
また、制御部５０は、複数の周波数帯の中から第１の受信処理部３３が使用可能な他の周波数帯を検索し、他の周波数帯が検索できた場合には、当該他の周波数帯での位置登録を試行し、当該試行が成功した場合には当該他の周波数帯で応答情報を返信し、当該試行が失敗した場合には当該他の周波数帯での応答情報を返信しない構成が好ましい。
【００５２】
このようにして、携帯電話装置１は、位置登録が成功した場合には、成功した他の周波数帯で応答情報を送信し、着信報知動作が実行され、その後、ユーザにより応答操作が行われると、通話状態に移行するので、第２の無線部４０への受信性能への影響を回避しつつ、第１の無線部３０により好適に通信を行うことができる。
【００５３】
また、携帯電話装置１は、位置登録が失敗した場合には、他の周波数帯での応答情報を返信せず、元の周波数帯に戻って応答情報を返信することにより、着信に失敗することがない。
【００５４】
また、制御部５０は、複数の周波数帯の中から第１の受信処理部３３が使用可能な他の周波数帯を検索し、他の周波数帯が検索できた場合には、当該他の周波数帯での位置登録を試行し、当該試行が成功した場合には当該他の周波数帯で応答情報を返信するとともに、当該他の周波数帯をメモリ６０に記憶する。制御部５０は、次回、他の周波数帯の検索を行う場合には、メモリ６０に記憶しておいた他の周波数帯を優先して検索を行う構成が好ましい。
【００５５】
このようにして、携帯電話装置１は、過去に位置登録に成功した周波数帯を優先して検索するので、効率的な通信処理を行うことができる。
【００５６】
ここで、携帯電話装置１の具体的な動作について説明する。携帯電話装置１は、第１の無線部３０による送受信の動作と、第２の無線部４０による受信の動作を同時に行うことが可能な構成になっている。
【００５７】
第１の無線部３０と第２の無線部４０の双方が位置登録可能な状態の場合には、仕様に基づく周波数帯による通信チャンネルで位置登録を行う。
つぎに、このような状態において、第２の無線部４０により通信（ＬＴＥの通信）が発生した場合には、携帯電話装置１は、ＬＴＥの通信を契機として、第１の無線部３０による通信（ＣＤＭＡの通信）がＬＴＥの通信に影響を与えないように、いずれかの周波数帯域（ＢＣ、Ｂａｎｄ  Ｃｌａｓｓ）の変更を行う。
【００５８】
また、携帯電話装置１は、第２の無線部４０によるＬＴＥの通信中に第１の無線部３０によるＣＤＭＡの音声着信が発生した場合には、ＬＴＥとＣＤＭＡの周波数に影響しないようにＣＤＭＡ側のＢＣの切り替えを試みる。
【００５９】
例えば、ＬＴＥ（元のシステム）通信中のＣＤＭＡ（別のシステム）着信のシーケンス（図４を参照）では、ＣＤＭＡの着信メッセージを受信してからＣＤＭＡの通信を開始するまでは、ＬＴＥとＣＤＭＡの２つのシステムが同時に通信を行うため、互いの送信が受信に影響を及ぼしてしまう可能性がある。そこで、携帯電話装置１では、この影響を回避するために以下のような対策を講じる。
【００６０】
携帯電話装置１は、ＬＴＥ通信中に音声着信が発生した場合、最初に着信メッセージを受信したら、現在ＬＴＥで通信しているＢＣとＣＤＭＡでサポートしているＢＣを比較して、互いの送信が、受信に影響を及ぼさないかどうかを判断する。もし影響がある場合には、携帯電話装置１は、現在サポートしているＣＤＭＡのＢＣの中から、ＬＴＥの送信に影響を受けないＢＣがあるかを探し、発見できたらそのＢＣをスキャンして位置登録が可能かを判断する。
【００６１】
なお、一般的に、携帯電話装置１が位置登録をしている基地局を有するゾーン内において、各基地局は、ＣＤＭＡの着信メッセージを携帯電話装置１宛てに使用可能な各ＢＣで送信し、携帯電話装置１によって着信がされなかった場合（携帯電話装置１から応答メッセージが返信されなかった場合）、着信メッセージの再送を数回程度行うように構成されている。
【００６２】
また、規格上、着信メッセージは、５．１２秒周期で基地局から送信されてくる。携帯電話装置１は、最初に着信メッセージを受信してから５．１２秒以内に、ＢＣのスキャンを行い、位置登録ができるかどうかを判断する。携帯電話装置１は、位置登録できたら、そのＢＣで応答を返し、着信報知に対してユーザが応答操作を行うと、通知への移行要求を基地局へそのＢＣで出力し、その後通話状態に移行する。また、携帯電話装置１は、スキャンが長引いて５．１２秒を超えてしまいそうな場合には、例えば、５秒タイマを起動して監視し、当該タイマが満了した場合には元の帯域（チャンネル）に戻り、着信応答メッセージを送信する。
【００６３】
また、携帯電話装置１は、このような構成の場合、５．１２秒以内に他のＢＣをスキャンしなければならないため、影響がないＢＣを優先し、その中で過去に位置登録したことがあるＢＣを優先してスキャンを実行する。
【００６４】
ここで、携帯電話装置１は、以下の優先順位でＢＣのスキャンを実行する。
（互いのシステム間に影響がないＢＣ）  ＞  （過去に位置登録したことがあるＢＣ）  ＞  （規格上定められている優先順位のＢＣ）
【００６５】
つぎに、携帯電話装置１は、「互いのシステム間に影響がないＢＣ」かどうかの判断は、ＣＤＭＡの着信を優先に考えて、下記の優先順位で決定する。
（ＬＴＥの送信が、ＣＤＭＡの受信に影響を及ぼさないＣＤＭＡのＢＣ）  ＞  （ＣＤＭＡの送信が、ＬＴＥの受信に影響を及ぼさないＣＤＭＡのＢＣ）
【００６６】
これは、ＣＤＭＡの着信が音声着信であることを考慮し、ＬＴＥ通信によるデータ通信（又は、例えば、ワンセグ放送の受信）よりも優先度の高い通信として扱っているため、携帯電話装置１は、ＬＴＥ側による送信が、ＣＤＭＡ側による受信に影響を及ぼさないＣＤＭＡのＢＣを優先的にサーチ可能なようにシステムテーブルを検索してスキャン順を決定している。なお、携帯電話装置１は、ＬＴＥ通信を優先するようにＢＣのスキャンを実行しても良い。
【００６７】
また、携帯電話装置１は、スキャン後にＢＣを切り替えた際に、着信メッセージを受信できなかった場合には、直ちに元のＢＣに切り替え直す構成であっても良い。このような構成にすることによって、携帯電話装置１は、例えば、最初の着信メッセージが送信され、その後５．１２秒ごとに再送が行われ、結果、１０．２４秒間に３回の着信メッセージが行われた場合には、最初の着信メッセージから５秒以内に他のＢＣのスキャンを行い、他のＢＣを発見後に、直ちに他のＢＣに切り替え、その後、他のＢＣで着信メッセージの受信ができなかった場合、直ぐに元のＢＣに戻すので、着信に失敗することがない。
【００６８】
また、着信時にＬＴＥには影響を及ぼさないＢＣをＣＤＭＡが使用していた場合でも、途中から基地局のメッセージ等によりハンドオフする可能性がある。そこで、携帯電話装置１は、ＣＤＭＡの着信を受信し、通信チャネルに入り、ＬＴＥの通信が切断するまでは、ハンドオフして別のＢＣに切り替わらないように、ハンドオフの閾値（以下、ハンドオフ閾値という。）を設定しておく。
【００６９】
また、携帯電話装置１は、基地局から他のＢＣへのハンドオフが要求された場合には、ハンドオフ先が他の通信システムに影響を及ぼすＢＣであった場合には、現在行っている通信に影響がない程度にバンドクラス閾値の値を高めに設定し、ＢＣの切り替えが行いにくくしておく。但し、携帯電話装置１は、通信が途切れてしまっては意味がないため、通信を維持できなくなるようなレベルに落ちる前にハンドオフできるようなバンドオフ閾値に設定しておくことが好ましい。
【００７０】
また、第２の無線部４０は、第２の受信処理部４２とアンテナ４１の中間に配置され、アンテナ４１により受信される信号の中から第３の周波数帯の信号（希望信号）以外の周波数帯の信号を抑制する機能を有するフィルタ部４３を有する構成であっても良い。なお、定常状態では、フィルタ部４３の機能は、無効状態にされているものとする。
【００７１】
ここで、フィルタ部４３の特性について説明する。フィルタ部４３は、上述したように、第３の周波数帯の信号（希望信号）以外の周波数帯の信号（第１の周波数帯の信号及び第２の周波数帯の信号等）を抑制（理想的には、除去）するが、第３の周波数帯の信号と抑制の対象となる周波数帯が近接している場合には、急峻に減衰するフィルタ特性が必要になる（図５を参照）。このように急峻に減衰するフィルタ特性を有するフィルタ部４３は、希望する周波数帯の信号に対しても影響を与えてしまう。
【００７２】
つぎに、フィルタ部４３を有効状態にした場合と無効状態にした場合における周波数特性について説明する。本実施例においては、図５に示すように、第１の周波数帯Ｆ１の低域側に第３の周波数帯Ｆ３が規定されており、フィルタ部４３が有効状態の場合には、減衰曲線Ｘにしたがって、フィルタ部４３で入力信号が処理（第１の周波数帯Ｆ１が減衰処理）されて第２の受信処理部４２に供給され、また、フィルタ部４３が無効状態の場合には、曲線Ｙにしたがって、入力信号が減衰（ロス）することなく第２の受信処理部４２に供給される。
【００７３】
携帯電話装置１は、必要に応じてフィルタ部４３の有効状態と無効状態を適宜切り替えるが、できる限り無効状態を維持する。
【００７４】
＜実施例１＞
ＬＴＥシステム（第２の無線部４０）が起動中（位置登録中）にＣＤＭＡシステム（第１の無線部３０）を起動した場合の制御部５０の動作について、図６に示すフローチャートを参照して説明する。
【００７５】
ステップＳＴ１において、制御部５０は、起動したＣＤＭＡシステムが現在利用中のＬＴＥシステムに影響を及ぼすか否かを判断する。影響を及ぼすと判断した場合（Ｙｅｓ）には、ステップＳＴ２に進み、影響を及ぼさないと判断した場合（Ｎｏ）には、他のシステム（以下、ＢＣという）に切り替える必要がないため、位置登録を続ける。
【００７６】
ステップＳＴ２において、制御部５０は、起動したＣＤＭＡシステムにおいて他に利用可能なＢＣが存在するかどうかを判断する。他のＢＣが存在する場合（Ｙｅｓ）には、ステップＳＴ３に進み、他のＢＣが存在しない場合（Ｎｏ）には、ステップＳＴ５に進む。
【００７７】
ステップＳＴ３において、制御部５０は、ＬＴＥシステムの周波数帯域から一番離れたシステム（ＢＣ）から順番に利用可能か検索する。例えば、制御部５０は、他のＢＣとして、２ＧＨｚを中心とする周波数帯が利用可能かどうかを確認する。利用可能な場合（Ｙｅｓ）には、ステップＳＴ４に進み、利用可能ではない場合（Ｎｏ）には、ステップＳＴ５に進む。
【００７８】
ステップＳＴ４において、制御部５０は、ＣＤＭＡシステムを利用可能な他のＢＣに切り替えて、ＣＤＭＡの位置登録を行う。
【００７９】
ステップＳＴ５において、制御部５０は、ＬＴＥシステムにおいて他に利用可能なＢＣが存在するかどうかを判断する。他のＢＣが存在する場合（Ｙｅｓ）には、ステップＳＴ６に進み、他のＢＣが存在しない場合（Ｎｏ）には、ステップＳＴ８に進む。
【００８０】
ステップＳＴ６において、制御部５０は、起動中のＣＤＭＡシステムの周波数帯域から一番離れたシステム（ＢＣ）から順番に位置登録が可能か確認する。利用可能な場合（Ｙｅｓ）には、ステップＳＴ７に進み、利用可能ではない場合（Ｎｏ）には、ステップＳＴ８に進む。
【００８１】
ステップＳＴ７において、制御部５０は、ＬＴＥシステムを利用可能な他のＢＣに切り替えて、ＬＴＥの位置登録を行う。
【００８２】
ステップＳＴ８において、制御部５０は、現在のＢＣにおいて、ＣＤＭＡシステムに影響を与えない周波数チャネルを検索する。影響を与えない周波数チャネルがあった場合（Ｙｅｓ）には、ステップＳＴ９に進み、影響を与えない周波数チャネルがなかった場合（Ｎｏ）には、ステップＳＴ１０に進む。
【００８３】
ステップＳＴ９において、制御部５０は、検索された周波数チャネルを利用して、ＬＴＥの位置登録を行う。
【００８４】
ステップＳＴ１０において、制御部５０は、フィルタ部４３の機能を有効状態に切り替える。
【００８５】
＜実施例２＞
ＬＴＥシステム（第２の無線部４０）が起動中（通信中）にＣＤＭＡシステム（第１の無線部３０）が着信を行った場合の制御部５０の動作について、図７に示すフローチャートを参照して説明する。
【００８６】
ステップＳＴ２１において、制御部５０は、優先順位にしたがってスキャンテーブルの作成を行う。制御部５０は、着信時のシステムが互いのシステム間に影響を及ぼすかどうかを検討する。例えば、制御部５０は、図８に示すテーブルを作成し、当該テーブルをスキャンして「システムに影響なし」の場合には、着信処理をそのまま継続して実施する。
【００８７】
制御部５０は、テーブルをスキャンして「システムに影響あり」の場合には、以下のステップＳＴ２１１からＳＴ２１３の処理を実施し、着信時に他のシステムを使えないかどうかの検索をするためのスキャンテーブルを作成する。
【００８８】
制御部５０は、互いのシステムに影響を及ぼす度合いで、システムスキャンの優先順位を決定する（ステップＳＴ２１１）。なお、優先順位については、ユーザが使用用途に応じて自由に設定可能な構成にしても良い。
【００８９】
つぎに、制御部５０は、過去に位置登録をしたことがあるシステムの方が、スキャンをした時に見つけられる確立が高いことから、過去に位置登録をしたことがあるチャネルを優先的にスキャンするようにピックアップする（ステップＳＴ２１２）。なお、過去に位置登録をしたことがあるシステムがなければ、本工程はスキップする。
【００９０】
つぎに、制御部５０は、もし、ステップＳＴ２１１とステップＳＴ２１２の工程による処理によって、優先順位が同じである場合には、スキャンリストのシステムを規格上定められている最優先順位に並び換えを行う（ステップＳＴ２１３）。
なお、ステップＳＴ２１１とステップＳＴ２１２は入れ替えて処理されても良い。
【００９１】
ステップＳＴ２２において、制御部５０は、ステップＳＴ２１の工程で作成したスキャンテーブルにしたがって、スキャンを開始する。また、制御部５０は、この時、次の着信メッセージの受信タイミングを逃さないようにタイマＴ１（例えば、着信報知の周期である５．１２秒よりも短い５秒等の時間）を起動する。
【００９２】
ステップＳＴ２３において、制御部５０は、スキャン時間がＴ１以内に位置登録が可能なシステム（ＢＣ）が見つかったかどうかを確認する。Ｔ１以内に見つかった場合（Ｙｅｓ）には、ステップＳＴ２４に進み、Ｔ１以内に見つからなかった場合（Ｎｏ）には、ステップＳＴ２７に進む。
【００９３】
ステップＳＴ２４において、制御部５０は、見つかったシステムによって、位置登録（Ｒｅｇｉｓｔｒａｔｉｏｎ）ができたかどうかを確認する。位置登録ができた場合（Ｙｅｓ）には、ステップＳＴ２５に進み、位置登録ができなかった場合（Ｎｏ）には、ステップＳＴ２７に進む。
【００９４】
ステップＳＴ２５において、制御部５０は、着信メッセージを受信できたかどうかを確認する。着信メッセージを受信できた場合（Ｙｅｓ）には、ステップＳＴ２６に進み、着信メッセージを受信できなかった場合（Ｎｏ）には、ステップＳＴ２７に進む。
【００９５】
ステップＳＴ２６において、制御部５０は、新しく位置登録した側のシステムで基地局に着信応答を返し、着信報知動作を実行する。
【００９６】
ステップＳＴ２７において、制御部５０は、始めに着信メッセージを受け付けた元のシステムに戻って着信応答を実施する。また、制御部５０は、この時、着信応答をせずに更に別のシステムをスキャンして次の着信タイミングで応答するように処理する構成であっても良い。
【００９７】
なお、基地局から２回目の着信メッセージの再送が行われない場合には着信が失敗するリスクがあるが、２回目の着信メッセージの再送がされなかったとしても、念のため元のシステムに戻って着信応答を返すことで着信が成立する可能性が高い。
【００９８】
このようにして、携帯電話装置１は、新しいシステム（ＢＣ）で着信メッセージの受信を試みて、着信メッセージの受信に成功した場合には、新しいシステム（ＢＣ）で着信応答を返信し、その後、着信シーケンスが進んだ場合にはその新しいシステム（ＢＣ）で着信報知処理を実行する。
【００９９】
また、携帯電話装置１は、成功した着信メッセージに対して着信応答を返信しても基地局から応答がない場合には、タイマＴ１が満了までにまだスキャン可能な時間がある場合は、別システムのスキャンを実行し、タイマＴ１が満了までに時間がない場合は、着信メッセージを受け付けた元のシステムに戻って着信処理を実行する。
【０１００】
また、携帯電話装置１は、新しいシステム（ＢＣ）で着信メッセージの受信を試みて、着信メッセージ受信に失敗した場合には、タイマＴ１が満了までにまだスキャン可能な時間がある場合は、別システムのスキャンを実行し、タイマＴ１が満了までに時間がない場合は、着信メッセージを受け付けた元のシステムに戻って着信応答処理を実行する。
【０１０１】
ここで、スキャンテーブルの作成例について説明する。
例えば、制御部５０は、通常のスキャンテーブルが、図９（ａ）に示すように、「ＢＣ０  Ｐｒｉｍａｒｙ  ＣＨ」→「ＢＣ０  Ｓｅｃｏｎｄａｒｙ  ＣＨ」→「ＢＣ６  Ｐｒｉｍａｒｙ  ＣＨ」→「ＢＣ６  Ｓｅｃｏｎｄａｒｙ  ＣＨ」→「ＢＣ３  Ｐｒｉｍａｒｙ  ＣＨ」→「ＢＣ３  Ｓｅｃｏｎｄａｒｙ  ＣＨ」とスキャン順が決められていた場合に、図９（ｂ）に示すように、互いに影響を及ぼすかで並べ替えを行う。なお、図９（ｂ）に示す例では、「ＢＣ６  Ｐｒｉｍａｒｙ  ＣＨ」がどちらのシステムにも影響を及ぼさないチャネルであった場合を想定している。
【０１０２】
また、制御部５０は、図９（ｃ）に示すように、過去に位置登録をしていたシステムを優先して並べ替えを行う。なお図９（ｃ）に示す例では、「ＢＣ０  Ｐｒｉｍａｒｙ  ＣＨ」、「ＢＣ６  Ｐｒｉｍａｒｙ  ＣＨ」及び「ＢＣ３  Ｐｒｉｍａｒｙ  ＣＨ」で過去に位置登録を行っていた場合を想定している。
【０１０３】
また、制御部５０は、図９（ｄ）に示すように、規格上定められている優先順位のＢＣに並べ替えを行う。なお、図９（ｄ）に示す例では、図９（ｃ）で決定された順位が規格上定められている順位になっているため、並べ替えを行っていない。
【０１０４】
また、制御部５０は、着信メッセージを受信し、別のシステム（ＢＣ）に切り替えてスキャンを行い、当該別のシステムで捕捉に成功した場合には、図１０（ａ）に示すように、別システムで着信動作を実行する。
【０１０５】
また、制御部５０は、着信メッセージを受信し、別のシステム（ＢＣ）に切り替えてスキャンを行い、当該別のシステムで捕捉に失敗した場合には、図１０（ｂ）に示すように、元のシステムに切り替えて、着信動作を実行する。
【０１０６】
また、制御部５０は、着信メッセージを受信し、第１のシステム（ＢＣ）に切り替えてスキャンを行い、第１のシステムで捕捉に失敗した場合には、元のシステムに切り替え、着信メッセージを受信できることを確認した後、第２のシステム（ＢＣ）に切り替えてスキャンを行い、第２のシステムで補足に成功した場合には、図１０（ｃ）に示すように、第２のシステムで着信動作を実行する。
【０１０７】
また、制御部５０は、着信メッセージを受信し、第１のシステム（ＢＣ）に切り替えてスキャンを行い、第１のシステムで捕捉に失敗した場合には、元のシステムに切り替え、着信メッセージを受信できることを確認した後、第２のシステム（ＢＣ）に切り替えてスキャンを行い、第２のシステムでも補足に失敗した場合には、再び元のシステムに切り替え、着信メッセージを受信できることを確認した後、第３のシステム（ＢＣ）に切り替えてスキャンを行い、第３のシステムで補足に成功した場合には、図１０（ｄ）に示すように、第２のシステムで着信動作を実行する。
【０１０８】
＜実施例３＞
ＬＴＥシステム（第２の無線部４０）が起動中（通信中）にＣＤＭＡシステム（第１の無線部３０）が着信を行い、着信の応答を行った後の制御部５０の動作について説明する。
【０１０９】
ＬＴＥシステムが起動中（通信中）にＣＤＭＡシステムで着信し、最適なシステム（ＢＣ）で着信応答をした場合には、ＬＴＥシステムの切断を行うまでに、ＣＤＭＡのシステムの切り替え（ハンドオフ）を実施してしまうと、互いの送信波が影響してどちらかのシステムが通話断してしまう可能性がある。
【０１１０】
そこで、制御部５０は、ＬＴＥシステムが起動中（通信中）にＣＤＭＡシステムで着信し、最適なシステム（ＢＣ）で着信応答を行った場合、基地局を切り替えるためのハンドオフの指示が来た場合又は自立的にハンドオフを行う場合には、通話が維持できる程度に抑制する制御を行う。
【０１１１】
制御部５０は、ＣＤＭＡの着信応答後から通信が確立して、ＬＴＥシステムの切断を行うまでは、具体的に以下の制御を行う。
【０１１２】
＜移動機の自立的なハンドオフを実施する場合＞
制御部５０は、ハンドオフ先のシステムがＬＴＥ及びＣＤＭＡの両方に影響を及ぼさないシステムかどうか検索し、影響を及ぼさない場合のみハンドオフを実施し、影響を及ぼす場合には、現在のシステムが通信を維持できる最低限のレベルの閾値を設け、この閾値を下回るまではハンドオフは実施しないように制御する。また、制御部５０は、閾値を下回った場合には、通信が切断してしまう恐れがあるため、ハンドオフを実施する。
【０１１３】
＜基地局からのハンドオフの指示を受信した場合＞
制御部５０は、ハンドオフ先のシステムがＬＴＥ及びＣＤＭＡの両方に影響を及ぼさないシステムかどうか検索し、影響を及ぼさない場合のみハンドオフを実施し、影響を及ぼす場合には、現在のシステムが通信を維持できる最低限のレベルの閾値を設け、この閾値を下回るまではハンドオフは実施しないように制御する。したがって、制御部５０は、基地局に対して、ハンドオフの指示に対する応答を返さないように制御する。
【０１１４】
また、制御部５０は、閾値を下回った場合には、通信が切断してしまう恐れがあるため、ハンドオフを実施する。
【０１１５】
また、制御部５０は、ＬＴＥシステムが切断し、ＣＤＭＡシステムのみの通信になった場合には、基地局にハンドオフの指示を出してもらうために、その旨のメッセージを基地局に送信し、ハンドオフを促す構成であっても良い。
【符号の説明】
【０１１６】
１  携帯電話装置
３０  第１の無線部
３２  第１の送信処理部
３３  第１の受信処理部
４０  第２の無線部
４２  第２の受信処理部
５０  制御部
６０  メモリ
【図１】
2011250197.tif 000003
【図２】
2011250197.tif 000004
【図３】
2011250197.tif 000005
【図４】
2011250197.tif 000006
【図５】
2011250197.tif 000007
【図６】
2011250197.tif 000008
【図７】
2011250197.tif 000009
【図８】
2011250197.tif 000010
【図９】
2011250197.tif 000011
【図１０】
2011250197.tif 000012